(57)【特許請求の範囲】
【請求項１】
撮像装置を備えると共に、前記撮像装置で撮像した映像の信号を送信する機能を具備したドアホン子器と、前記映像を表示する表示装置を具備した親機とを備えたインターホンにおいて、前記表示装置に、前記映像が表示されない文字のみを表示する背景色を有した文字表示領域を同表示装置の画面片側一部に設けると共に、この文字表示領域以外の画面反対側表示部分に前記映像が表示されるようになして、文字のみを表示する背景色を有した前記文字表示領域は、呼出のあった前記ドアホン子器の呼出履歴を表示することを特徴とするインターホン。
【請求項２】
撮像装置を備えると共に、前記撮像装置で撮像した映像の信号を送信する機能を具備したドアホン子器と、前記映像を表示する表示装置を具備した親機とを備えたインターホンにおいて、前記表示装置に、前記映像が表示されない文字のみを表示する背景色を有した文字表示領域を同表示装置の画面片側一部に設けると共に、この文字表示領域以外の画面反対側表示部分に前記映像が表示されるようになして、かつ前記インターホンは、少なくとも前記親機の呼出を行う子器を具備し、文字のみを表示する背景色を有した前記文字表示領域に、呼出のあった前記子器の呼出履歴を表示することを特徴とするインターホン。
【発明の詳細な説明】
【０００１】
【発明の属する技術分野】
本発明は、どのような訪問者が来たのか確認できるテレビモニタを備え、一般住宅等に設置されるインターホンに関するものである。
【０００２】
【従来の技術】
一般住宅等に設置されるインターホンは、どのような訪問者が来たのか確認できるようテレビモニタを備えており、近年、テレビインターホン親機やテレビインターホン副親機などから構成される多機能型テレビインターホンが使用され始めている。以下に、その多機能型テレビインターホンの構成、各機器の配置、画面表示の一例について、図１、図２、図８、図９に基づいて説明する。図１は多機能型テレビインターホンの親機１及び副親機１ａの構成図であり、（ａ）は親機１の構成図、（ｂ）は副親機１ａの構成図である。図２は多機能型テレビインターホンの構成図である。
【０００３】
図２に示すテレビインターホンは、一階の部屋等に取付けられる親機１と、その親機と無極性２線式の通信線２１を介して接続され、夫々２階の部屋等に取付けられるグループＡとグループＢの副親機１ａとを備え、親機１には通信線２１を介して接続され、玄関先等に取付けられるカメラ付きのドアホン子器１８を備えると共に、同じく通信線２１を介して接続され、トイレや脱衣場等に取付けられるコール押釦１９とが備えられている。一方、グループＡの副親機１ａには、親機１と同様に、通信線２１を介してコール押釦１９が接続されると共に、寝室等の部屋に取付けられる通話副親機２０が、通信線２１を介して接続されている。  尚、図２では、親機１及びグループＡの副親機１ａに夫々、１個のコール押釦１９しか示していないと共に、グループＢの副親機１ａには、コール押釦１９が接続されていないが、複数個接続できるようになっている。
【０００４】
略矩形箱状の親機１は、その表面の上部に、カラー液晶ディスプレイパネル等のモニタ表示部８を具備すると共に、その下端部近傍に略円形平板状のモニター釦９ｂを備え、そのモニター釦９ｂを押圧操作することによって、モニタ表示部８にドアホン子器１８からの映像を表示できるようになっており、モニター釦９ｂを押圧操作する毎に、第１のドアホン子器１８の映像、第２のドアホン子器１８の映像というように、順番に切り替わるようになっている。また、モニタ表示部８の下端部近傍には、副親機１ａ、ドアホン子器１８からの呼び出しに応答するための略矩形平板状の通話釦９ｃと、グループＡの副親機１ａと、その親機に接続された通話副親機２０を呼び出すための略矩形平板状の呼出釦９ｄと、グループＢの副親機１ａを呼び出すための略矩形平板状の呼出釦９ｅとを具備すると共に、副親機１ａ、ドアホン子器１８に、内蔵されたマイクにより集音された音声を再生するためのスピーカ１５が備えられている。尚、呼出釦９ｄ、９ｅの設定は任意であり、例えば、呼出釦９ｄに親機１ｂに接続される全ての副親機１ｃ、通話副親機２０を呼出すように設定することもできるようになっている。
【０００５】
親機１と同一形状を有するグループＡ及びグループＢの副親機１ａは、同様にモニタ表示部８と、モニター釦９ｂと、呼出釦９ｄ、９ｅと、スピーカ１５とを具備しており、通話釦９ｃを押圧操作することによって、親機１、ドアホン子器１８からの呼び出しに応答することができるようになっている。また、そのモニター釦９ｂを押圧操作することによって、そのモニタ表示部８に、親機１を介して受信したドアホン子器１８からの映像を表示できるようになっている。一例として、グループＡの副親機１ａは、呼出釦９ｄを押圧操作することで、親機１が呼出され、呼出釦９ｅを押圧操作することによって、通話副親機２０が呼出されるようになっている。一方、グループＢの副親機１ａも、呼出釦９ｄを押圧操作することで、親機１が呼出されるようになっている。
【０００６】
また、グループＡの副親機１ａに接続されている略直方体状の通話副親機２０は、その下端部の表面に、副親機１ａ、ドアホン子器１８からの呼び出しに応答するための略矩形平板状の通話釦２０ａを備え、グループＡの副親機１ａを呼出すための呼出釦２０ｂを備えると共に、他の副親機を接続した場合に、その副親機を呼出すため等に用いる呼出釦２０ｃを備えている。そして、呼出釦２０ｂを押圧操作してグループＡの副親機１ａを呼出して、副親機１ａと会話をするためのスピーカ１５と、マイク１６を内蔵している。
【０００７】
略矩形箱状のドアホン子器１８は、その表面の上端部にカメラ１８ａを備え、夜間でも訪問者を識別できるように、訪問者に対して赤外線照射する赤外線照明１８ｂを具備し、カメラ１８ａの下端部近傍には、一例として、親機１、副親機１ａ、通話副親機２０を同時に呼出すための呼出釦１８ｃを備えると共に、スピーカ１５を内蔵している。そして、呼出釦１８ｃを押圧操作することによって、親機１、副親機１ａ、通話副親機２０に備えられたスピーカーより着信音が発せられ、何れかの親機１、副親機１ａ、通話副親機２０の通話釦９ｃ、２０ａを押圧操作すると、その押圧操作した親機１、副親機１ａ、通話副親機２０と、ドアホン子器１８とが会話できるようになっている。
【０００８】
次に、親機１、副親機１ａ、ドアホン子器１８、通話副親機２０夫々の回路構成及び動作について説明する。また、図８は多機能型テレビインターホンのドアホン子器１８、通話副親機２０の構成図であり、（ａ）はドアホン子器１８の構成図、（ｂ）は通話副親機２０の構成図である。
【０００９】
図１（ａ）に示す親機１は制御部４を備え、制御部４はＯＳＤ出力回路５、ＯＳＤ表示回路６、スイッチ・ボタン類９、呼出信号送受信回路１０、制御信号回路１１、子器電源回路１２、通話回路１３、呼出音回路１４、外部機器接続端子１７と接続されている。また、親機１は副親機１ａ、ドアホン子器１８、通話副親機２０と接続される多重化／分離化回路２を備え、多重化／分離化回路２は夫々、映像信号復調回路３、呼出信号送受信回路１０、制御信号回路１１、子器電源回路１２、通話回路１３と接続されている。ＯＳＤ表示回路６は、映像信号復調回路３と接続されると共に、ＯＳＤ出力回路５及びモニタドライバ７と接続され、モニタドライバ７はモニタ表示部８と接続されている。また、通話回路１３と呼出音回路１４は夫々スピーカ１５と接続されると共に、通話回路１３はマイク１６と接続されている。
【００１０】
多重化／分離化回路２は、副親機１ａ等からの信号を受信し、その信号を分離化して映像信号復調回路３、呼出信号送受信回路１０、制御信号回路１１、子器電源回路１２、通話回路１３の各回路へ分離化信号を送信する一方、前記各回路より信号を受信して多重化し、その多重化信号を副親機１ａ等へ送信するようになっている。映像信号復調回路３では、ドアホン子器１８に備えられたカメラ１８ａで撮像され、ドアホン子器１８の映像信号変調回路２３で変調された映像信号を復調し、ＯＳＤ表示回路６に出力するようになっている。また、制御部４はＯＳＤ出力回路５に文字情報等を出力させる旨の信号を送信するようになっており、ＯＳＤ出力回路５はその信号を受信すると、ＯＳＤ表示回路６に文字情報等を送信し、ＯＳＤ表示回路６では、映像信号復調回路３からの映像信号と、ＯＳＤ出力回路５からの文字情報等とを合成して合成映像（合成映像信号）を作成し、その合成映像を、モニタ表示部８を駆動させるためのモニタドライバ７を介して、モニタ表示部８に表示させるようになっている。
【００１１】
スイッチ・ボタン類９は、機能設定スイッチ９ａ、モニター釦９ｂ、通話釦９ｃ、呼出釦９ｄ、９ｅの他、電源スイッチ、呼出音量調整スイッチ、モニタ表示部８の明るさ調整スイッチ、終端抵抗スイッチ等から構成され、機能設定スイッチ９ａの押圧操作を行うと、モニタ表示部８に設定操作画面が表示され、モニター釦９ｂ、通話釦９ｃ、呼出釦９ｄ、９ｅといった釦を操作することによって、各種機能の設定を行うことができるようになっている。呼出信号送受信回路１０は、副親機１ａ、ドアホン子器１８等からの呼出信号を検知して、呼出があった旨の信号を制御部４に送信し、制御部４ではその信号を検知して、呼出音回路１４を動作させてスピーカ１５より、呼出音を出力させる。一方、呼出釦９ｄ、９ｅが押圧操作され、制御部４より呼出の対象である副親機１ａ等の呼出操作を行う旨の信号を受信すると、多重化／分離化回路２を介して、呼出の対象である副親機１ａ等へ呼出信号を送出するようになっている。
【００１２】
制御信号回路１１は、ドアホン子器１８を動作させて映像信号を返信するよう、ドアホン子器１８にモニタ信号を送信するようになっており、子器電源回路１２は、通信線２１を介してドアホン子器１８に電力を供給するようになっている。また、外部機器接続端子１７には、増設スピーカ、照明によって呼出を知らせる光チャイム、コール押釦１９等の外部機器が接続されるようになっている。尚、図１（ｂ）に示す副親機１ａは、図１（ａ）に示す親機１の構成に対して、子器電源回路１２を除いた構成となっており、その他の回路構成及び動作については、親機１と同様であるので、説明を省略することとする。
【００１３】
図８（ａ）に示すドアホン子器１８は、制御部４ａを備え、制御部４ａは呼出信号送受信回路１０、制御信号回路１１、通話回路１３、内部電源回路２２、カメラ駆動回路２４と接続されると共に、親機１と接続される多重化／分離化回路２を備え、多重化／分離化回路２は夫々、子器呼出検知回路１０、制御信号回路１１、通話回路１３、内部電源回路２２、映像信号変調回路２３と接続されている。また、映像信号変調回路２３はカメラ駆動回路２４を介してカメラ１８ａと接続されており、通話回路１３はスピーカ１５及びマイク１６と接続されている。内部電源回路２２は、親機１に備えられた子器電源回路１２から電力供給を受けて、ドアホン子器１８の各部を動作させるようになっており、映像信号変調回路２３は、カメラ駆動回路２４を介して、カメラ１８ａより映像信号を受信して変調し、多重化／分離化回路２を介して親機１等にその変調化映像信号を送信するようになっている。
【００１４】
図８（ｂ）に示す通話副親機２０は、制御部４ｂを備え、制御部４ｂは呼出信号送受信回路１０、制御信号回路１１、通話回路１３、呼出音回路１４、スイッチ・ボタン類２０ａ、呼出釦２０ｂ、２０ｃと接続され、スイッチ・ボタン類には、機能設定スイッチ２０ｄが備えられている。また、親機１等と接続される多重化／分離化回路２を備え、多重化／分離化回路２は夫々、呼出信号送受信回路１０、制御信号回路１１、通話回路１３と接続されており、通話回路１３と呼出音回路１４は夫々スピーカ１５と接続されると共に、通話回路１３はマイク１６と接続されている。
【００１５】
次に、モニタ表示部８の表示について説明する。図９は従来の親機１のモニタ表示部８の表示の一例を示す模式図である。（ａ）に示すように、第１のドアホン子器１８から呼出があると画面には訪問者が表示されると共に、どのドアホン子器１８から呼出があったか分かるように“ドアホン１”という文字Ｃ１が表示され、第１のドアホン子器１８との通話中に、第１のコール押釦１９から呼出があると、（ｂ）に示すように、呼出を示す絵記号Ｃ４と、どのコール押釦１９から呼出があったか分かるように“コール１”という文字Ｃ１が表示されるようになっている。この状態でさらに、第２のコール押釦１９から呼出があると、（ｃ）に示すように、“コール１”という文字Ｃ１が消され、“コール２”という文字Ｃ１が表示されるようになっている。また、コール押釦１９が押圧操作された場合には、（ｄ）に示すように、“来てください”、“コール１”という文字と呼出を示す絵とからなる映像と、“コール１”という文字と人の顔を示す絵とからなる映像を、交互に切り替えるようになっている。副親機１ａ等から呼出操作があった場合には、（ｅ）に示すように、“内線Ａ”の文字と共に呼出を示す絵が表示されるようになっている。
【００１６】
【発明が解決しようとする課題】
ところが、上述のような構成のインターホンにあっては、ドアホン子器で捉えた映像と、文字情報Ｃ１等を同時に表示するようになっているため、映像と文字情報Ｃ１等が同系色の場合、例えば、訪問者が白い服装をしていると共に、文字情報Ｃ１等が白色で表示されている場合には、文字情報Ｃ１等を確認しずらいという問題点があった。
【００１７】
また、第１のドアホン子器１８との通話中に、第１のコール押釦１９から呼出があり、さらに、第２のコール押釦１９から呼出があると、図９（ｃ）に示すように、第１のコール押釦１９からの呼出を示す“コール１”という文字情報Ｃ１が消され、第２のコール押釦１９からの呼出を示す“コール２”という文字情報Ｃ１が表示されるといったように、新しい呼出を優先的に表示するようになっている。従って、短時間の間に複数のコール押釦１９からの呼出があった場合、前に呼出のあったコール押釦１９の表示が消えてしまうので、どのコール押釦１９から呼出があったのか分からなくなるという問題点があった。
【００１８】
一方、呼出のあったコール押釦１９全ての文字情報Ｃ１を表示すると、文字情報Ｃ１はドアホン子器で捉えた映像の前に重ねて表示されるため、多数の文字情報Ｃ１を表示すると、訪問者の顔等が文字情報Ｃ１等によって覆われて分かりにくくなるという問題点があった。
【００１９】
本発明は、上記の問題点に鑑みて成されたものであり、その目的とするところは、モニタ表示部に文字表示領域を設けることによって、確実に文字情報等を確認することができるインターホンの構造を提供することにある。
【００２０】
【課題を解決するための手段】
請求項１記載の発明にあっては、撮像装置を備えると共に、前記撮像装置で撮像した映像の信号を送信する機能を具備したドアホン子器と、前記映像を表示する表示装置を具備した親機とを備えたインターホンにおいて、前記表示装置に、前記映像が表示されない文字のみを表示する背景色を有した文字表示領域を同表示装置の画面片側一部に設けると共に、この文字表示領域以外の画面反対側表示部分に前記映像が表示されるようになしたことを特徴とするものである。
【００２１】
さらに、請求項１記載の発明にあっては、文字のみを表示する背景色を有した前記文字表示領域は、呼出のあった前記ドアホン子器の呼出履歴を表示することを特徴とするものである。
【００２２】
請求項２記載の発明にあっては、撮像装置を備えると共に、前記撮像装置で撮像した映像の信号を送信する機能を具備したドアホン子器と、前記映像を表示する表示装置を具備した親機とを備えたインターホンにおいて、前記表示装置に、前記映像が表示されない文字のみを表示する背景色を有した文字表示領域を同表示装置の画面片側一部に設けると共に、この文字表示領域以外の画面反対側表示部分に前記映像が表示されるようになしたことを特徴とするものである。さらに、請求項２記載の発明にあっては、前記インターホンは、少なくとも前記親機の呼出を行う子器を具備し、文字のみを表示する背景色を有した前記文字表示領域に、呼出のあった前記子器の呼出履歴を表示することを特徴とするものである。
【００２５】
【発明の実施の形態】
[第１の実施の形態]
本実施形態に係るインターホンの構成について、図１乃至図８に基づき詳細に説明する。尚、図１、図２、図８は従来のインターホンを説明するのに用いたが、本実施形態にあっても同様の構成を有するので、図１、図２、図８を用いると共に、従来のインターホンと同様の構成部分とその動作については説明を省略し、本実施形態のインターホンの特徴となる動作について、詳細に説明することとする。また、図２では、２台のドアホン子器１８が接続されているが、本実施形態の親機１にあっては、３台以上のドアホン子器１８を接続できるようになっている。ここで、図３は本実施形態のモニタ表示部８に表示する映像の一例を示す模式図であり、（ａ）は第１のドアホン子器１８との通話中に、コール押釦１９から呼出があった場合の表示の一例、（ｂ）はさらに他のコール押釦１９から呼出があった場合の表示の一例を示す図である。
【００２６】
親機１と第１のドアホン子器１８とが通話している際に、コール押釦１９の呼出釦１９ａが押圧操作されると、コール釦１９からの呼出信号が親機１の多重化／分離化回路２へ送信され、多重化／分離化回路２ではその信号を分離化して、呼出信号送受信回路１０へ送信する。呼出信号送受信回路１０では、当該コール押釦１９から呼出があった旨を制御部４に送信し、制御部４はＯＳＤ出力回路５に、一例として“コール１”というように、当該コール押釦１９を示す文字情報Ｃ１と、“通話中”の文字情報Ｃ２と、呼出があった旨の絵Ｇとの信号を、ＯＳＤ表示回路６へ送信させると共に、呼出音回路１４を介してスピーカ１５より呼出音の鳴動を行うようになっている。
【００２７】
一方、ＯＳＤ表示回路６では、一例として、図３（ａ）に示すように、背景が青色の略矩形状の文字表示領域Ａを画面の一部に形成して、その文字表示領域Ａ上に、ＯＳＤ出力回路５からの当該コール押釦１９を示す“コール１”の文字情報Ｃ１と、“通話中”を示す文字情報Ｃ２と、呼出があった旨の絵Ｇの信号とを合成すると共に、文字表示領域Ａ以外の表示部分に、現在表示している第１のドアホン子器１８からの映像が表示されるように合成映像（合成映像信号）を作成し、その合成映像を、モニタ表示部８を駆動させるためのモニタドライバ７を介して、モニタ表示部８に表示させるようになっている。尚、文字情報Ｃ１、Ｃ２は白色で表示され、文字表示領域Ａの青色に映えて識別しやすいようになっている。
【００２８】
このとき、他のコール押釦１９から呼出があると、そのコール押釦１９からの呼出信号が親機１の多重化／分離化回路２へ送信され、多重化／分離化回路２ではその信号を分離化して、呼出信号送受信回路１０へ送信する。呼出信号送受信回路１０では、他のコール押釦１９から呼出があった旨を制御部４に送信し、制御部４はＯＳＤ出力回路５に、一例として“コール２”というように、他のコール押釦１９を示す文字情報Ｃ１と、“通話中”の文字情報Ｃ２と、呼出があった旨の絵Ｇとの信号と、呼出があったコール押釦１９を示す表示として“呼出履歴”の文字及び“コール１”の文字情報Ｃ３ａを、ＯＳＤ表示回路６へ送信させると共に、呼出音回路１４を介してスピーカ１５より呼出音の鳴動を行うようになっている。
【００２９】
一方、ＯＳＤ表示回路６では、図３（ｂ）に示すように、文字表示領域Ａ上にＯＳＤ出力回路５からの他のコール押釦１９を示す“コール２”の文字情報Ｃ１と、“通話中”を示す文字情報Ｃ２と、“呼出履歴”の文字及び“コール１”の文字情報Ｃ３ａと、呼出があった旨の絵Ｇの信号とを合成すると共に、文字表示領域Ａ以外の表示部分に、現在表示している第１のドアホン子器１８からの映像信号を合成して合成映像（合成映像信号）を作成し、その合成映像を、モニタドライバ７を介してモニタ表示部８に表示させるようになっている。
【００３０】
次に、他の第２のドアホン子器１８から呼出があり、さらに第３のドアホン子器１８から呼出があった場合について説明する。図４は本実施形態のモニタ表示部８に表示する映像の一例を示す模式図であり、第１のドアホン子器１８との通話中に、第２のドアホン子器１８から呼出があり、さらに第３のドアホン子器１８から呼出があり、通話釦９ｃを押した場合を示す図である。図５も本実施形態のモニタ表示部８に表示する映像の一例を示す模式図であり、さらに通話釦９ｃを数回に渡って押した場合を示す図である。
【００３１】
親機１と第１のドアホン子器１８とが通話している際に、第２のドアホン子器１８の呼出釦１８ｃが押圧操作されると、呼出釦１８ｃからの呼出信号が親機１の多重化／分離化回路２へ送信され、多重化／分離化回路２ではその信号を分離化して、呼出信号送受信回路１０へ送信する。呼出信号送受信回路１０では、当該ドアホン子器１８から呼出があった旨を制御部４に送信し、制御部４はＯＳＤ出力回路５に、一例として“ドアホン２”というように、第２のドアホン子器１８を示す文字情報Ｃ１と、“通話中”の文字情報Ｃ２と、呼出があった旨の絵Ｇとの信号を、ＯＳＤ表示回路６へ送信させると共に、呼出音回路１４を介してスピーカ１５より呼出音の鳴動を行うようになっている。
【００３２】
一方、ＯＳＤ表示回路６では、図４（ａ）に示すように、文字表示領域Ａ上にＯＳＤ出力回路５からの第２のドアホン子器１８を示す“ドアホン２”の文字情報Ｃ１と、“通話中”を示す文字情報Ｃ２と、呼出があった旨の絵Ｇの信号とを合成すると共に、文字表示領域Ａ以外の表示部分に、現在表示している第１のドアホン子器１８からの映像信号を合成して合成映像（合成映像信号）を作成し、その合成映像を、モニタドライバ７を介してモニタ表示部８に表示させる。
【００３３】
この状態で第３のドアホン子器１８から呼出があった場合には、同様にして、制御部４はＯＳＤ出力回路５に、“ドアホン３”というように、第３のドアホン子器１８を示す文字情報Ｃ１と、“通話中”の文字情報Ｃ２と、呼出があった旨の絵Ｇとの信号と、第２のドアホン子器１８が通話待機中を示す表示として、“通話待機中”の文字及び“ドアホン２”の文字情報Ｃ３ｂを、ＯＳＤ表示回路６へ送信させると共に、呼出音回路１４を介してスピーカ１５より呼出音の鳴動を行うようになっている。
【００３４】
一方、ＯＳＤ表示回路６では、図４（ｂ）に示すように、文字表示領域Ａ上にＯＳＤ出力回路５からの第３のドアホン子器１８を示す“ドアホン３”の文字情報Ｃ１と、“通話中”を示す文字情報Ｃ２と、“通話待機中”の文字及び“ドアホン２”の文字情報Ｃ３ｂと、呼出があった旨の絵Ｇの信号とを合成すると共に、文字表示領域Ａ以外の表示部分に、現在表示している第１のドアホン子器１８からの映像信号を合成して合成映像（合成映像信号）を作成し、その合成映像を、モニタドライバ７を介してモニタ表示部８に表示させるようになっている。
【００３５】
そして、親機１の通話釦９ｃの押圧操作を行うと、押圧操作された旨の信号が制御部４へ送信され、制御部４では、通話回路１３に第１のドアホン子器１８との通話を遮断させると共に、制御信号回路１１に第２のドアホン子器１８から映像信号を返信するよう、第２のドアホン子器１８に、多重化／分離化回路２を介して、モニタ信号を送信するようになっており、第２のドアホン子器１８ではそのモニタ信号を受信して、カメラ駆動回路２４を介してカメラ１８ａを動作させ、映像信号変調回路２３によって、カメラ駆動回路２４を介して得られるカメラ１８ａからの映像信号を受信して変調し、多重化／分離化回路２を介して親機１にその変調化映像信号を返信する。
【００３６】
親機１の制御部４は、その変調化映像信号を多重化／分離化回路２で分離化すると共に、映像信号復調回路３で復調してＯＳＤ表示回路６へ送信し、ＯＳＤ表示回路６では、図４（ｃ）に示すように、“通話中”を示す文字情報Ｃ２と、第１のドアホン子器１８からの映像信号を消去させ、文字表示領域Ａ上に、第３のドアホン子器１８を示す“ドアホン３”の文字情報Ｃ１と、呼出があった旨の絵Ｇと、“通話待機中”の文字及び“ドアホン２”の文字情報Ｃ３ｂとを、モニタ表示部８に継続して表示させると共に、第２のドアホン子器１８からの映像を表示するようになっている。
【００３７】
次に、親機１の通話釦９ｃの押圧操作を行うと、制御部４はＯＳＤ出力回路５に、第３のドアホン子器１８を示す“ドアホン３”の文字情報Ｃ１と、“通話中”の文字情報Ｃ２と、呼出があった旨の絵Ｇとの信号を、ＯＳＤ表示回路６へ送信させると共に、第２のドアホン子器１８に通話回路１３を動作させて通話できるように制御信号を出力する。ＯＳＤ表示回路６では、図５（ａ）に示すように、文字表示領域Ａ上にＯＳＤ出力回路５からの第３のドアホン子器１８を示す“ドアホン３”の文字情報Ｃ１と、“通話中”を示す文字情報Ｃ２と、呼出があった旨の絵Ｇの信号とを合成すると共に、文字表示領域Ａ以外の表示部分に、第２のドアホン子器１８からの映像信号を合成して合成映像（合成映像信号）を作成し、その合成映像を、モニタドライバ７を介してモニタ表示部８に表示させる。
【００３８】
次に、親機１の通話釦９ｃの押圧操作を行うと、制御部４では通話回路１３に第２のドアホン子器１８との通話を遮断させると共に、制御信号回路１１に第３のドアホン子器１８から映像信号を返信するよう、モニタ信号を送信するようになっており、第３のドアホン子器１８ではそのモニタ信号を受信して、カメラ駆動回路２４を介してカメラ１８ａを動作させ、親機１にその映像信号を返信する。親機１の制御部４では、ＯＳＤ表示回路６に、図５（ｂ）に示すように、制御部４では、ＯＳＤ表示回路６に、“通話中”を示す文字情報Ｃ２と、第１のドアホン子器１８からの映像信号を消去させ、文字表示領域Ａ上に、第３のドアホン子器１８を示す“ドアホン３”の文字情報Ｃ１と、呼出があった旨の絵Ｇを、モニタ表示部８に継続して表示させると共に、第３のドアホン子器１８からの映像を、モニタドライバ７を介してモニタ表示部８に表示させるようになっている。
【００３９】
次に、再び親機１の通話釦９ｃの押圧操作を行うと、制御部４は、第３のドアホン子器１８に通話回路１３を動作させて通話できるように制御信号を出力すると共に、ＯＳＤ表示回路６に、第３のドアホン子器１８を示す“ドアホン３”の文字情報Ｃ１と、呼出があった旨の絵Ｇを表示している文字表示領域Ａを消去させ、第３のドアホン子器１８からの映像を表示させるようになっている。
【００４０】
[第２の実施の形態]
次に、第１のドアホン子器１８との通話中に複数の機器から呼出された場合の別の実施形態ついて説明する。図６は本実施形態のモニタ表示部８に表示する映像の一例を示す模式図であり、第１のドアホン子器１８との通話中に、コール押釦１９から呼出があった後、第２のドアホン子器１８から呼出があり、さらに、副親機１ａ又は通話副親機２０から呼出があった場合を示す図である。図７も、本実施形態のモニタ表示部８に表示する映像の一例を示す模式図であり、さらに、第３のドアホン子器１８から呼出があり、通話釦９ｃを押した後、呼出釦９ｃを押し、さらに通話釦９ｃを押した場合を示す図である。尚、第１の実施の形態と同様の動作等については説明を省略し、モニタ表示部８へ表示する映像について詳細に述べることとする。
【００４１】
本実施形態の制御部４は計時機能を具備しており、各機器からの呼出があった時刻を記憶しておくようになっている。図６（ａ）に示すように、第１のドアホン子器１８との通話中に、コール押釦１９から呼出しがあると、文字表示領域Ａの下端部に“コール１”の文字情報と、通話中の文字情報Ｃ２と、文字情報Ｃ２の下端近傍に現在時刻ＣＬと、呼出があった旨の絵Ｇとを表示する。次に、図６（ｂ）に示すように、第２のドアホン子器１８から呼出があると、文字表示領域Ａの下端部に表示されている“コール１”の文字を消去すると共に“ドアホン２”の文字情報を表示する一方、現在時刻ＣＬの下端近傍に、“▲１▼  コール１（呼出）”の文字Ｃ３ｃと、呼出のあった時刻を表示するようになっている。
【００４２】
さらに、副親機１ａ又は通話副親機２０から呼出があると、図６（ｃ）に示すように、文字表示領域Ａの下端部に表示されている“ドアホン２”の文字を消去すると共に“内線Ｂ”の文字情報を表示する一方、“▲１▼コール１（呼出）”の文字と、呼出のあった時刻の表示の下端近傍に、▲２▼ドアホン２（待機中）”の文字と、呼出のあった時刻を表示するようになっている。次に、第３のドアホン３から呼出があると、図７（ａ）に示すように、文字表示領域Ａの下端部に表示されている“内線Ｂ”の文字を消去すると共に“ドアホン３”の文字情報を表示する一方、“▲２▼ドアホン２（待機中）”の文字と、呼出のあった時刻の下端近傍に、“▲３▼内線Ｂ（待機中）”の文字と、呼出のあった時刻を表示するようになっている。
【００４３】
そして、本実施形態の親機１にあっては、通話釦９ｃを押圧操作して、第１のドアホン子器１８との通話を終了した後、モニター釦９ｂを押圧操作することによって、図７（ｂ）に示すように、“▲２▼ドアホン２（待機中）”の文字と、呼出のあった時刻が反転表示となると共に、第２のドアホン子器１８からの映像が表示されるようになっている。さらにモニター釦９ｂを押圧操作すると、図７（ｃ）に示すように、“▲２▼ドアホン２（待機中）”の文字と、呼出のあった時刻が通常の表示になると共に、“▲３▼内線Ｂ（待機中）”の文字と、呼出のあった時刻を反転表示するようになっており、反転表示中に通話釦９ｃを押圧操作することによって、その機器と通話することができる。例えば、“▲３▼内線Ｂ（待機中）”の文字と、呼出のあった時刻が反転表示となっているときに、通話釦９ｃを押圧操作することによって、内線Ｂに割り当てられた副親機１又は通話副親機２０と通話することができるようになっている。
【００４４】
尚、本実施形態にあっては、親機１のみについて説明したが、副親機１ａも同様の機能を持っているので、説明を省略することとする。また、親機１のモニタ表示部８は、カラー液晶ディスプレイパネルだけではなく、例えば、白黒ディスプレイや、テレビ等に接続して親機１を構成してもよい。
【００４５】
【発明の効果】
以上のように、請求項１記載の発明にあっては、文字表示領域を設けたことによって、従来技術のように、映像と文字情報等が同系色の場合にも確認しずらいということがないと共に、多数の文字情報を表示しても、訪問者の顔等が文字情報によって覆われることがないため、確実に文字情報等を認識することができるという効果を奏する。
【００４６】
さらに、請求項１記載の発明にあっては、呼出のあったドアホン子器の呼出履歴を文字表示領域に表示するので、従来技術のように、どのドアホン子器から呼出があったのかが分からなくなることがないという効果を奏する。
【００４７】
請求項２記載の発明にあっては、文字表示領域を設けたことによって、従来技術のように、映像と文字情報等が同系色の場合にも確認しずらいということがないと共に、多数の文字情報を表示しても、訪問者の顔等が文字情報によって覆われることがないため、確実に文字情報等を認識することができるという効果を奏する。さらに、請求項２記載の発明にあっては、呼出のあった子器の呼出履歴を文字表示領域に表示するので、従来技術のように、どの子器から呼出があったのかが分からなくなることがないという効果を奏する。
【図面の簡単な説明】
【図１】多機能型テレビインターホンの親機１及び副親機１ａの構成図であり、（ａ）は親機１の構成図、（ｂ）は副親機１ａの構成図である。
【図２】多機能型テレビインターホンの構成図である。
【図３】本実施形態のモニタ表示部８に表示する映像の一例を示す模式図であり、（ａ）は第１のドアホン子器１８との通話中に、コール押釦１９から呼出があった場合の表示の一例、（ｂ）はさらに他のコール押釦１９から呼出があった場合の表示の一例を示す図である。
【図４】本実施形態のモニタ表示部８に表示する映像の一例を示す模式図であり、第１のドアホン子器１８との通話中に、第２のドアホン子器１８から呼出があり、さらに第３のドアホン子器１８から呼出があり、通話釦９ｃを押した場合を示す図である。
【図５】本実施形態のモニタ表示部８に表示する映像の一例を示す模式図であり、さらに通話釦９ｃを数回に渡って押した場合を示す図である。
【図６】本実施形態のモニタ表示部８に表示する映像の一例を示す模式図であり、第１のドアホン子器１８との通話中に、コール押釦１９から呼出があった後、第２のドアホン子器１８から呼出があり、さらに、副親機１ａ又は通話副親機２０から呼出があった場合を示す図である。
【図７】本実施形態のモニタ表示部８に表示する映像の一例を示す模式図であり、さらに、第３のドアホン子器１８から呼出があり、通話釦９ｃを押した後、呼出釦９ｃを押し、さらに通話釦９ｃを押した場合を示す図である。
【図８】多機能型テレビインターホンのドアホン子器１８、通話副親機２０の構成図であり、（ａ）はドアホン子器１８の構成図、（ｂ）は通話副親機２０の構成図である。
【図９】従来の親機１のモニタ表示部８の表示の一例を示す模式図である。
【符号の説明】
１      親機
１ａ    副親機（親機）
８      モニタ表示部（表示装置）
１８    ドアホン子器
１８ａ  カメラ（撮像装置）
１９    コール押釦（子器）
２０    通話副親機（子器）
【図１】
0003692891.tif 000002
【図２】
0003692891.tif 000003
【図３】
0003692891.tif 000004
【図４】
0003692891.tif 000005
【図５】
0003692891.tif 000006
【図６】
0003692891.tif 000007
【図７】
0003692891.tif 000008
【図８】
0003692891.tif 000009
【図９】
0003692891.tif 000010